【手続補正書】
【提出日】平成17年3月4日(2005.3.4)
【手続補正１】
【補正対象書類名】明細書
【補正対象項目名】特許請求の範囲
【補正方法】変更
【補正の内容】
【特許請求の範囲】
【請求項１】
高圧放電灯と、前記高圧放電灯に１ＫＨｚ以上の交流電力を供給するインバータ回路と、前記インバータ回路の出力周波数を制御する周波数制御回路と、前記高圧放電灯の両端の放電灯電圧を検出する放電灯電圧検出回路とを備えた高圧放電灯点灯装置であって、前記周波数制御回路が、前記放電灯電圧検出回路によって検出された放電灯電圧に基づき一つの非共鳴周波数帯の上端周波数または下端周波数を検知するとともに、前記インバータ回路の出力周波数を前記上端周波数または前記下端周波数から算出される前記非共鳴周波数帯内の一周波数に選択することを特徴とした高圧放電灯点灯装置。
【請求項２】
高圧放電灯と、前記高圧放電灯に１ＫＨｚ以上の交流電力を供給するインバータ回路と、前記インバータ回路の出力周波数を制御する周波数制御回路と、前記高圧放電灯の両端の放電灯電圧を検出する放電灯電圧検出回路とを備えた高圧放電灯点灯装置であって、前記周波数制御回路が、点灯開始時に少なくとも非共鳴周波数帯に含まれる所定の初期出力周波数を選択し、この初期出力周波数において前記放電灯電圧検出回路により検出された放電灯電圧を記録し、前記インバータ回路の出力周波数を上昇または下降させるとともに記録された前記放電灯電圧より所定値分高くなる周波数を記録し、この記録された周波数から所定周波数Δｆ分だけ前記非共鳴周波数帯の中心側に前記インバータ回路の出力周波数を移動させることを特徴とする高圧放電灯点灯装置。
【請求項３】
前記周波数制御回路が、前記非共鳴周波数帯の下端周波数より所定周波数Δｆ分高い周波数を出力する制御と、前記非共鳴周波数帯の上端周波数より所定周波数Δｆ分低い周波数を出力する制御とを切り換え可能としたことを特徴とする請求項２記載の高圧放電灯点灯装置。
【請求項４】
高い出力のモードと低い出力のモードとを切り換える出力モード切換回路を備え、前記周波数制御回路が、前記高い出力のモード時に前記非共鳴周波数帯の下端周波数より所定周波数Δｆ分高い周波数を選択し、前記低い出力のモード時に前記非共鳴周波数帯の上端周波数より所定周波数Δｆ分低い周波数を選択することを特徴とする請求項３記載の高圧放電灯点灯装置。
【請求項５】
前記高圧放電灯に流れる電流を検出する電流検出回路を備え、前記周波数制御回路が、前記高圧放電灯に流れる電流を所定の値に保つように、前記電流検出回路が検出する電流をもとに前記Δｆの値を可変とすることを特徴とする請求項２〜４のいずれかに記載の高圧放電灯点灯装置。
【請求項６】
前記周波数制御回路が、点灯開始時に少なくとも非共鳴周波数帯に含まれる所定の初期出力周波数を選択し、この初期出力周波数において前記放電灯電圧検出回路により検出された放電灯電圧を記録し、前記インバータ回路の出力周波数を上昇または下降させるとともに記録された前記放電灯電圧より所定値分高くなる周波数を記録し、この記録された周波数から所定周波数Δｆ分だけ前記非共鳴周波数帯の中心側に前記インバータ回路の出力周波数を移動させ、記録された前記放電灯電圧をこの移動後の出力周波数において前記放電灯電圧検出回路により検出された放電灯電圧で更新するとともに、前記インバータ回路の出力周波数の前記上昇または前記下降、および前記所定周波数Δｆ分だけの前記非共鳴周波数帯の中心側への移動である一連の前記出力周波数の移動を連続または所定の間隔で繰り返すことを特徴とする請求項２〜５のいずれかに記載の高圧放電灯点灯装置。
【手続補正２】
【補正対象書類名】明細書
【補正対象項目名】０００９
【補正方法】変更
【補正の内容】
【０００９】
【課題を解決するための手段】
本発明に係る請求項１記載の高圧放電灯点灯装置は、高圧放電灯と、前記高圧放電灯に１ＫＨｚ以上の交流電力を供給するインバータ回路と、前記インバータ回路の出力周波数を制御する周波数制御回路と、前記高圧放電灯の両端の放電灯電圧を検出する放電灯電圧検出回路とを備えた高圧放電灯点灯装置であって、前記周波数制御回路が、前記放電灯電圧検出回路によって検出された放電灯電圧に基づき一つの非共鳴周波数帯の上端周波数または下端周波数を検知するとともに、前記インバータ回路の出力周波数を前記上端周波数または前記下端周波数から算出される前記非共鳴周波数帯内の一周波数に選択するようにしたものである。
【手続補正３】
【補正対象書類名】明細書
【補正対象項目名】００１０
【補正方法】変更
【補正の内容】
【００１０】
また、請求項２記載の高圧放電灯点灯装置は、高圧放電灯と、前記高圧放電灯に１ＫＨｚ以上の交流電力を供給するインバータ回路と、前記インバータ回路の出力周波数を制御する周波数制御回路と、前記高圧放電灯の両端の放電灯電圧を検出する放電灯電圧検出回路とを備えた高圧放電灯点灯装置であって、前記周波数制御回路が、点灯開始時に少なくとも非共鳴周波数帯に含まれる所定の初期出力周波数を選択し、この初期出力周波数において前記放電灯電圧検出回路により検出された放電灯電圧を記録し、前記インバータ回路の出力周波数を上昇または下降させるとともに記録された前記放電灯電圧より所定値分高くなる周波数を記録し、この記録された周波数から所定周波数Δｆ分だけ前記非共鳴周波数帯の中心側に前記インバータ回路の出力周波数を移動させるようにしたものである。
【手続補正４】
【補正対象書類名】明細書
【補正対象項目名】００１１
【補正方法】変更
【補正の内容】
【００１１】
また、請求項３記載の高圧放電灯点灯装置は、前記周波数制御回路が、前記非共鳴周波数帯の下端周波数より所定周波数Δｆ分高い周波数を出力する制御と、前記非共鳴周波数帯の上端周波数より所定周波数Δｆ分低い周波数を出力する制御とを切り換え可能としたものである。
【手続補正５】
【補正対象書類名】明細書
【補正対象項目名】００１２
【補正方法】変更
【補正の内容】
【００１２】
また、請求項４記載の高圧放電灯点灯装置は、高い出力のモードと低い出力のモードとを切り換える出力モード切換回路を備え、前記周波数制御回路が、前記高い出力のモード時に前記非共鳴周波数帯の下端周波数より所定周波数Δｆ分高い周波数を選択し、前記低い出力のモード時に前記非共鳴周波数帯の上端周波数より所定周波数Δｆ分低い周波数を選択するようにしたものである。
【手続補正６】
【補正対象書類名】明細書
【補正対象項目名】００１３
【補正方法】変更
【補正の内容】
【００１３】
また、請求項５記載の高圧放電灯点灯装置は、前記高圧放電灯に流れる電流を検出する電流検出回路を備え、前記周波数制御回路が、前記高圧放電灯に流れる電流を所定の値に保つように、前記電流検出回路が検出する電流をもとに前記Δｆの値を可変とするようにしたものである。
【手続補正７】
【補正対象書類名】明細書
【補正対象項目名】００１４
【補正方法】変更
【補正の内容】
【００１４】
また、請求項６記載の高圧放電灯点灯装置は、前記周波数制御回路が、点灯開始時に少なくとも非共鳴周波数帯に含まれる所定の初期出力周波数を選択し、この初期出力周波数において前記放電灯電圧検出回路により検出された放電灯電圧を記録し、前記インバータ回路の出力周波数を上昇または下降させるとともに記録された前記放電灯電圧より所定値分高くなる周波数を記録し、この記録された周波数から所定周波数Δｆ分だけ前記非共鳴周波数帯の中心側に前記インバータ回路の出力周波数を移動させ、記録された前記放電灯電圧をこの移動後の出力周波数において前記放電灯電圧検出回路により検出された放電灯電圧で更新するとともに、前記インバータ回路の出力周波数の前記上昇または前記下降、および前記所定周波数Δｆ分だけの前記非共鳴周波数帯の中心側への移動である一連の前記出力周波数の移動を連続または所定の間隔で繰り返すようにしたものである。
【手続補正８】
【補正対象書類名】明細書
【補正対象項目名】００３７
【補正方法】変更
【補正の内容】
【００３７】
以上のように本発明に係る請求項１の高圧放電灯点灯装置は、高圧放電灯と、前記高圧放電灯に１ＫＨｚ以上の交流電力を供給するインバータ回路と、前記インバータ回路の出力周波数を制御する周波数制御回路と、前記高圧放電灯の両端の放電灯電圧を検出する放電灯電圧検出回路とを備えた高圧放電灯点灯装置であって、前記周波数制御回路が、前記放電灯電圧検出回路によって検出された放電灯電圧に基づき一つの非共鳴周波数帯の上端周波数または下端周波数を検知するとともに、前記インバータ回路の出力周波数を前記上端周波数または前記下端周波数から算出される前記非共鳴周波数帯内の一周波数に選択して、音響共鳴周波数帯を回避する出力周波数となるようにしたので、確実に音響共鳴現象によるちらつきや立ち消えを回避することができる。
【手続補正９】
【補正対象書類名】明細書
【補正対象項目名】００３８
【補正方法】変更
【補正の内容】
【００３８】
また、請求項２の高圧放電灯点灯装置は、高圧放電灯と、前記高圧放電灯に１ＫＨｚ以上の交流電力を供給するインバータ回路と、前記インバータ回路の出力周波数を制御する周波数制御回路と、前記高圧放電灯の両端の放電灯電圧を検出する放電灯電圧検出回路とを備えた高圧放電灯点灯装置であって、前記周波数制御回路が、点灯開始時に少なくとも非共鳴周波数帯に含まれる所定の初期出力周波数を選択し、この初期出力周波数において前記放電灯電圧検出回路により検出された放電灯電圧を記録し、前記インバータ回路の出力周波数を上昇または下降させるとともに記録された前記放電灯電圧より所定値分高くなる周波数を記録し、この記録された周波数から所定周波数Δｆ分だけ前記非共鳴周波数帯の中心側に前記インバータ回路の出力周波数を移動させ、音響共鳴周波数帯を回避する出力周波数となるようにしたので、確実に音響共鳴現象によるちらつきや立ち消えを回避することができる。また、周波数の移動幅を小さくし、周波数の移動による光出力の変化を最小限にできる。
【手続補正１０】
【補正対象書類名】明細書
【補正対象項目名】００３９
【補正方法】変更
【補正の内容】
【００３９】
また、請求項３の高圧放電灯点灯装置は、前記周波数制御回路が、前記非共鳴周波数帯の下端周波数より所定周波数Δｆ分高い周波数を出力する制御と、前記非共鳴周波数帯の上端周波数より所定周波数Δｆ分低い周波数を出力する制御とを切り換え可能としたので、点灯立ち上がり時の過渡的な期間であっても確実に音響共鳴現象を回避することができる。
【手続補正１１】
【補正対象書類名】明細書
【補正対象項目名】００４０
【補正方法】変更
【補正の内容】
【００４０】
また、請求項４の高圧放電灯点灯装置は、高い出力のモードと低い出力のモードとを切り換える出力モード切換回路を備え、前記周波数制御回路が、前記高い出力のモード時に前記非共鳴周波数帯の下端周波数より所定周波数Δｆ分高い周波数を選択し、前記低い出力のモード時に前記非共鳴周波数帯の上端周波数より所定周波数Δｆ分低い周波数を選択する構成としたので、簡単な構成で非共鳴周波数帯の上端周波数あるいは下端周波数を用いての出力切り換えができ、かつ、音響共鳴現象を回避することができる。
【手続補正１２】
【補正対象書類名】明細書
【補正対象項目名】００４１
【補正方法】変更
【補正の内容】
【００４１】
また、請求項５の高圧放電灯点灯装置は、前記高圧放電灯に流れる電流を検出する電流検出回路を備え、前記周波数制御回路が、前記高圧放電灯に流れる電流を所定の値に保つように、前記電流検出回路が検出する電流をもとに前記Δｆの値を可変とするようにしたので、音響共鳴現象を回避できるとともに、高圧放電灯に流れる電流を所定の値に保つことができ、つまり明るさを一定に保つことができ、別途出力調整手段を設けなくてもよく、装置を小型化することができる。
【手続補正１３】
【補正対象書類名】明細書
【補正対象項目名】００４２
【補正方法】変更
【補正の内容】
【００４２】
また、請求項６の高圧放電灯点灯装置は、前記周波数制御回路が、点灯開始時に少なくとも非共鳴周波数帯に含まれる所定の初期出力周波数を選択し、この初期出力周波数において前記放電灯電圧検出回路により検出された放電灯電圧を記録し、前記インバータ回路の出力周波数を上昇または下降させるとともに記録された前記放電灯電圧より所定値分高くなる周波数を記録し、この記録された周波数から所定周波数Δｆ分だけ前記非共鳴周波数帯の中心側に前記インバータ回路の出力周波数を移動させ、記録された前記放電灯電圧をこの移動後の出力周波数において前記放電灯電圧検出回路により検出された放電灯電圧で更新するとともに、前記インバータ回路の出力周波数の前記上昇または前記下降、および前記所定周波数Δｆ分だけの前記非共鳴周波数帯の中心側への移動である一連の前記出力周波数の移動を連続または所定の間隔で繰り返すようにしたので、高圧放電灯の経時変化等によって非共鳴周波数帯が移動した場合においても確実に音響共鳴現象を回避できる。